(57)【要約】      （修正有）【課題】過度の圧力によって引き起こされる問題を阻止可能な、電子装置を冷却するための放熱システムを提供する。【解決手段】電子装置１００を冷却するための放熱システム２は、電子装置からの熱を吸収するよう電子装置に接続されるよう適応されるヒートシンク２４と、内部に冷却剤２２を保存するよう適応される冷却剤貯蔵部２１と、冷却剤貯蔵部から冷却剤を引き出す駆動機構２５と、冷却機構２６と、駆動機構が冷却剤貯蔵部から冷却剤を引き出し、冷却剤循環管２３と、冷却剤貯蔵部と駆動機構の下流の位置における冷却剤循環管とに接続されるバイパス２７２と、パイバスを介する冷却剤貯蔵部と冷却剤循環管との間の流体連通を可能にする弁２７１とを含む圧力安定化機構２７とを含む。【選択図】図２
0003122897.tif 000002
【実用新案登録請求の範囲】
【請求項１】
電子装置（１００）を冷却するための放熱システム（２）であって、
前記電子装置からの熱を吸収するよう前記電子装置に接続されるよう適応されるヒートシンク（２４）と、
内部に冷却剤（２２）を保存するよう適応される冷却剤貯蔵部（２１）と、
前記冷却剤貯蔵部から前記冷却剤を引き出す駆動機構（２５）と、
冷却機構（２６）と、
前記駆動機構が前記冷却剤貯蔵部から前記冷却剤を引き出し、且つ、前記冷却剤を介して前記ヒートシンクからの熱を前記冷却機構に伝達するよう前記ヒートシンク及び前記冷却機構内を通る冷却剤循環管における前記冷却剤の循環を駆動させるよう前記冷却剤貯蔵部、前記冷却機構、前記ヒートシンク、及び前記駆動機構に接続される該冷却剤循環管（２３）と、
前記冷却剤貯蔵部と前記駆動機構の下流の位置における前記冷却剤循環管とに接続されるバイパス（２７２）と、前記バイパスを介する前記冷却剤貯蔵部と前記冷却剤循環管との間の流体連通を阻止するよう通常は閉じており、また、前記冷却剤循環管内の圧力が所定値を超えると開き、それにより、前記パイバスを介する前記冷却剤貯蔵部と前記冷却剤循環管との間の流体連通を可能にする弁（２７１）とを含む圧力安定化機構（２７）と、
を含む放熱システム。
【請求項２】
前記弁は、前記バイパス内に可動に取り付けられ、また、前記冷却剤循環管内の圧力が前記所定値を超えると、閉位置から開位置に可動である請求項１記載の放熱システム。
【請求項３】
前記ヒートシンクは、容器（２４０）と、前記容器内に配置された複数のフィン（２４１）とを含む請求項１記載の放熱システム。
【請求項４】
前記冷却機構は、ファン（２６２）と、前記冷却剤循環管に接続される複数のフィン（２６１）とを含む請求項１記載の放熱システム。
【請求項５】
前記駆動機構は、ポンプを含む請求項１記載の放熱システム。
【考案の詳細な説明】
【技術分野】
【０００１】
本考案は、放熱装置に関わり、特に、電子装置を冷却するための放熱装置に係る。
【背景技術】
【０００２】
コンピュータの分野における技術が発展するに従って、コンピュータの性能はより一層強力となってきている。従って、コンピュータの中央処理演算ユニット（ＣＰＵ）といった電子装置によって相当量の熱が発生され、それにより、高温をもたらしている。高温は、コンピュータの適切ではないシャットダウンや、コンピュータ内に格納されたデータにダメージを与えうる。従って、コンピュータ製造業者にとって放熱は大きな関心事である。
【０００３】
図１は、従来の放熱装置１を示し、この装置は、ヒートシンク１１、冷却剤１２、駆動機構１３、冷却機構１４、及びその中を冷却剤１２が流れることを可能にし、ヒートシンク１１及び駆動機構１３に接続される管１１２を含む。
【０００４】
ヒートシンク１１は、電子装置１００に熱交換可能に接続される本体１１１を含み、本体１１１の内部空間を画成する。冷却剤１２は、ヒートシンク１１の内部空間内に受容され、電子装置１００からの熱を運ぶようヒートシンク１１の内部空間の中を流れる。
【０００５】
駆動機構１３は、放熱装置１内に冷却剤１２を循環させるよう使用される。
【０００６】
冷却機構１４は、互いに間隔が置かれ、管１１２の蛇行部１４１に接続される複数の放熱フィン１４２を含む。
【０００７】
動作時には、電子装置１００から発生される熱は、ヒートシンク１１の本体１１１に伝達され、冷却機構１４において放熱されるよう冷却機構１４に冷却剤１２によって運ばれる。冷却機構１４の放熱フィン１４２は、放熱を容易にするよう管１１２の蛇行部１４１に接触する。冷却剤１２の循環によって電子装置１００によって生成される熱は放熱される。
【０００８】
しかし、従来の放熱装置１において、駆動機構１３によって生成される駆動力が強すぎると、放熱装置１内の圧力は高くなりすぎ、それにより、管１１２の破壊といった放熱装置１に損傷をもたらす。従って、当該技術において、放熱システムに損傷を与えうる度合いまで圧力が上昇することを回避可能な熱放熱システムを提供する必要がある。
【考案の開示】
【考案が解決しようとする課題】
【０００９】
従って、本考案は、従来技術において見受けられたように過度の圧力によって引き起こされる問題を阻止可能な、電子装置を冷却するための放熱システムを提供することを目的とする。
【課題を解決するための手段】
【００１０】
本考案では、電子装置を冷却するための放熱システムは、電子装置からの熱を吸収するよう電子装置に接続されるよう適応されるヒートシンクと、内部に冷却剤を保存するよう適応される冷却剤貯蔵部と、冷却剤貯蔵部から冷却剤を引き出す駆動機構と、冷却機構と、駆動機構が冷却剤貯蔵部から冷却剤を引き出し、且つ、冷却剤を介してヒートシンクからの熱を冷却機構に伝達するようヒートシンク及び冷却機構内を通る冷却剤循環管における冷却剤の循環を駆動させるよう冷却剤貯蔵部、冷却機構、ヒートシンク、及び駆動機構に接続される該冷却剤循環管と、冷却剤貯蔵部と駆動機構の下流の位置における冷却剤循環管とに接続されるバイパスと弁とを含む圧力安定化機構とを含む。弁は、バイパスを介する冷却剤貯蔵部と冷却剤循環管との間の流体連通を阻止するよう通常は閉じており、また、冷却剤循環管内の圧力が所定値を超えると開き、それにより、パイバスを介する冷却剤貯蔵部と冷却剤循環管との間の流体連通を可能にする。
【考案を実施するための最良の形態】
【００１１】
本考案の他の特徴及び利点は、添付図面を参照しながら、本考案の好適な実施例の以下の詳細な説明において明らかとなろう。
【００１２】
図２を参照するに、本考案の放熱システム２の好適な実施例を示す。このシステムは、電子装置１００からの熱を吸収するために電子装置１００に接続されるよう適応されるヒートシンク２４と、内部に冷却剤を保存するための冷却剤貯蔵部２１と、冷却剤貯蔵部２１から冷却剤２２を引き出すための駆動機構２５と、冷却機構２６と、駆動機構２５が冷却剤貯蔵部２１から冷却剤２２を引き出し、且つ、冷却剤２２を介してヒートシンク２４からの熱を冷却機構２６に伝達するようヒートシンク２４及び冷却機構２６内を通る冷却剤循環管２３における冷却剤２２の循環を駆動させるよう冷却剤貯蔵部２１、冷却機構２６、ヒートシンク２４、及び駆動機構２５に接続される冷却剤循環管２３と、冷却剤貯蔵部２１と駆動機構２５の下流の位置における冷却剤循環管２３とに接続されるバイパス２７２及び弁２７１を含む圧力安定化機構２７とを含む。
【００１３】
この実施例では、弁２７１は、バイパス２７２内に可動に取り付けられる。バイパス２７２は、冷却剤循環管２３内の圧力によって弁２７１が押された場合にその中に弁２７１が入ることを可能にする弁２７１の付近の広い部分２７３を含む。弁２７１は、バイパス２７２を介する冷却剤貯蔵部２１と冷却剤循環管２３との間の流体連通を阻止するよう通常は閉じている（図２を参照）。その一方で、図３に示すように、弁２７１は、冷却剤循環管２３内の圧力が所定値を超えると閉位置から開位置に動くようバイパス２７２の広い部分２７３内に押され、それにより、パイバス２７２を介する冷却剤貯蔵部２１と冷却剤循環管２３との間の流体連通を可能にする（図３参照）。
【００１４】
この実施例では、駆動機構２５は、ポンプを含む。冷却剤２２は水であることが好適である。
【００１５】
この実施例では、ヒートシンク２４は、容器２４０と、容器２４０内に配置された複数のフィン２４１を含む。フィン２４１は、互いから間隔が置かれ、容器２４０内の冷却剤２２と接触する。フィン２４１は、電子装置１００から冷却剤２２への熱交換の為のより大きい表面積を与え、それにより放熱効率を高める。
【００１６】
この実施例では、冷却機構２６は、複数のフィン２６１及びファン２６２を含む。冷却機構２６のフィン２６１は、互いから間隔が置かれ、熱が、冷却剤循環管２３を通る冷却剤２２から冷却機構２６のフィン２６１に伝達されるよう冷却剤循環管２３に接触する。冷却機構２６のファン２６２は、冷却機構２６のフィン２６１を冷却するよう使用される。
【００１７】
動作時には、電子装置１００によって発生される熱は、ヒートシンク２４のフィン２４１に伝えられる。冷却剤２２がヒートシンク２４内を通り、ヒートシンク２４からの熱を運ぶようヒートシンク２４のフィン２４１から熱を吸収する。加熱された冷却剤２２は、冷却機構２６を通過する際に冷却される。冷却された冷却剤２２は、ポンプ２５の駆動動作によってヒートシンク２４に再び循環され、それにより、熱交換循環が続けられる。上述したように、冷却剤循環管２３内の圧力が所定値を超えると、弁２７１は、開位置に動かされる。その結果、冷却剤２２の一部は、冷却剤循環管２３内の異常な圧力を阻止するようバイパス２７２を介して冷却剤貯蔵部２１に流れ戻る。冷却剤２２の残りは、冷却剤循環管２３内での熱交換循環を続ける。
【００１８】
この実施例では、電子装置１００は、ヒートシンクに直接的に接続される。しかし、本考案は、開示された実施例に限定されるべきではない。例えば、電子装置１００は、貯蔵部２１に直接的に接続されることが可能である。
【００１９】
圧力安定化機構２７によって、従来技術において見受けられた過度の圧力によって引き起こされる問題を回避することが可能である。
【００２０】
本考案は、最も実用的で且つ最も好適であると考えられる実施例に関連して説明したが、本考案は、開示した実施例に限定されず、最大の解釈の範囲及び精神、及び等価の構成に含まれる様々な構成を包含することを意図する。
【００２１】
［関連出願への相互参照］
本考案は、２００５年９月２１日に出願した台湾出願番号０９４２１６２３６号の優先権を主張する。
【図面の簡単な説明】
【００２２】
【図１】従来の放熱装置を示す図である。
【図２】弁が閉じた状態にある本考案の放熱システムの好適な実施例を示す図である。
【図３】弁が開いた状態にある本考案の放熱システムの好適な実施例を示す図である。
【図１】
0003122897.tif 000003
【図２】
0003122897.tif 000004
【図３】
0003122897.tif 000005